(57)【要約】  光インターコネクションを実現する送信器、受信器において、異なる波長の光を束ねる多重機能及び異なる波長の光を分離する分波機能デバイスである波長合分波器に関して、動作温度変化に対して特性が変化しない温度調節機能が不要な波長合分波器を提供すること。本発明では上記課題を解決するために、基板上に形成された複数の光導波路、回折格子を有する波長合分波器において、前記光導波路のうち少なくとも１つはスラブ導波路であり、該スラブ導波路のコアが空気によって構成する。また、上記スラブ導波路を構成するコアが金属または誘電体多層膜による平行平板によりはさまれ、上記回折格子は上記スラブ導波路に隣接してシリコンを食刻することにより形成する。さらに、上記回折格子の表面には上記金属または誘電体多層膜を形成する。また、上記回折格子は半径２Ｒの曲率を有し、且、上記光導波路と上記スラブ導波路は上記回折格子が構成する半径２Ｒの円の一部に接している半径Ｒの円上で光学的に接続する。
2014010037.tif 000002
【特許請求の範囲】
【請求項１】
基板と、
前記基板上に設けられ、複数の入射口と１の出射口とを有し、前記入射口と対向する側の内壁に回折格子が形成された第１のスラブ導波路と、
前記基板上に設けられ、１の入射口と複数の出射口とを有し、前記入射口と対向する側の内壁に回折格子が形成された第２のスラブ導波路と、
前記基板上に設けられ、前記第１のスラブ導波路に光を入射する、それぞれ波長の異なる複数の発光素子と、
前記基板上に設けられ、前記第２のスラブ導波路から出射された波長の異なる光を受光する、複数の受光素子とを有し、
前記第１のスラブ導波路に入射した光は、スラブ導波路内の回折格子で反射して合波され、前記第１のスラブ導波路の前記出射口から出射され、
前記第２のスラブ導波路に入射した光は、前記第２のスラブ導波路内の回折格子で反射して分波され、前記第２のスラブ導波路の前記出射口から出射されることを特徴とする光モジュール。
【請求項２】
請求項１記載の光モジュールであって、
前記回折格子は半径２Ｒの曲率を有し、
前記入射口と前記出射口とが設けられている側の内壁は、半径Ｒの曲率を有することを特徴とする光モジュール。
【請求項３】
請求項１記載の光モジュールであって、
前記第１および第２のスラブ導波路の前記回折格子は、金属膜あるいは誘電体多層膜でおおわれていることを特徴とする光モジュール。
【請求項４】
請求項３記載の光モジュールであって、
前記第１及び第２のスラブ導波路の内壁は、金属膜あるいは誘電体多層膜でおおわれていることを特徴とする光モジュール。
【請求項５】
請求項４記載の光モジュールであって、
前記第１及び第２のスラブ導波路はシリコンでできていることを特徴とする光モジュール。
【請求項６】
請求項１記載の光モジュールであって、
前記回折格子は次数が２以上であることを特徴とする光モジュール。
【請求項７】
基板と、
前記基板上に設けられ、複数の入射口と１の出射口とを有し、前記入射口と対抗する側の内壁に回折格子が形成されたスラブ導波路と、を有し、
前記入射口から入射された光は前記スラブ導波路内を導波し、前記回折格子で反射し、複数波長の光が前記出射口から出射されることを特徴とする波長合波器。
【請求項８】
基板と、
前記基板上に設けられ、１の入射口と複数の出射口とを有し、前記入射口と対抗する側の内壁に回折格子が形成されたスラブ導波路と、を有し、
前記入射口から入射された光は前記スラブ導波路内を導波し、前記回折格子で反射し、複数波長の光に分波され、前記出射口から出射されることを特徴とする波長分波器。
【請求項９】
集積回路と、光モジュールと、光ファイバと接続されるコネクタと、を有するインターフェースカードと、
集積回路と、光モジュールと、光ファイバと接続されるコネクタと、を有するスイッチカードと、
前記インターフェースカードの前記コネクタと接続される第１のコネクタと、前記スイッチカードの前記コネクタと接続される第２のコネクタとを有するバックプレーンと、
前記第１のコネクタと前記第２のコネクタとを接続する光ファイバと、を有し、
前記光モジュールは、基板と、前記基板上に設けられ、複数の入射口と１の出射口とを有し、前記入射口と対向する側の内壁に回折格子が形成された第１のスラブ導波路と、前記基板上に設けられ、１の入射口と複数の出射口とを有し、前記入射口と対向する側の内壁に回折格子が形成された第２のスラブ導波路と、前記基板上に設けられ、前記第１のスラブ導波路に光を入射する、それぞれ波長の異なる複数の発光素子と、前記基板上に設けられ、前記第２のスラブ導波路から出射された波長の異なる光を受光する、複数の受光素子とを有し、前記第１のスラブ導波路に入射した光は、スラブ導波路内の回折格子で反射して合波され、前記第１のスラブ導波路の前記出射口から出射され、前記第２のスラブ導波路に入射した光は、前記第２のスラブ導波路内の回折格子で反射して分波され、前記第２のスラブ導波路の前記出射口から出射されることを特徴とするサーバ。
【発明の詳細な説明】
【技術分野】
【０００１】
本発明は、波長合分波器に係り、特に、１本の光ファイバで複数の波長の光を伝送する波長多重光伝送用波長合分波器、光モジュール、及びサーバの構造に関する。
【背景技術】
【０００２】
高度情報化社会の進展とともに、ネットワークを流れる情報の伝達量は年率４０％の割合で上昇し、この大容量の情報を処理するサーバやデータセンタを支える演算処理装置の高速化、高機能化が求められている。このため、この情報処理装置には、大容量化、小型化、低消費電力化が求められ、そのアプローチのひとつとしてインターコネクションの光化が進められている。光インターコネクションにおいて、大容量化を実現するための方法として波長多重伝送が有力な候補である。波長多重伝送とは、１本の伝送路に複数の波長の光がそれぞれ独立に信号を伝達する方法で、波長数倍の大容量化が実現できる。その送信器は複数の異なる波長の光源とそれらを束ねる多重機能を有し、受信器は、複数の異なる波長の光を分離する機能と、分離後の光信号を受信する受信素子により構成される。一方、光インターコネクションを実現する技術として、シリコンフォトニクスが注目されている。シリコンフォトニクスはＳｉを光素子として用いる技術で、高度に発達したシリコンプロセス技術を用いることができるため、微細加工、大量一括生産が可能である。このシリコンフォトニクスの技術を用いた波長多重伝送の送信器、受信器の研究開発が進んでいる。【０００３】
たとえば、非特許文献１では、シリコンフォトニクス技術を用いた異なる波長の光を束ねる多重機能及び異なる波長の光を分離する分波機能デバイスが報告されている。この技術による波長合分波器は、シリコンにより構成された導波路断面が平行平板構造をしているスラブ導波路と、そのスラブ導波路に隣接した反射型回折格子、反射型回折格子の対抗側に入出力用の複数の導波路から構成されている。また、特許文献１開示されている合分波器では、スラブ導波路がフォトニック結晶により構成されている。これらの波長合分波器の特性を図２に示す。この特性は、イーサネット(登録商標)の標準化規格であるＩＥＥＥ８０２．３ｂａの１００ＧＢＡＳＥ−ＥＲ４及び１００ＧＢＡＳＥ−ＬＲ４に適合する波長合分波機能を示している。すなわち、波長間隔４．５ｎｍ、パスバンド２．３ｎｍ、４波多重の規格を満たす波長合分波機能を有する波長合分波器を実現する。
【先行技術文献】
【特許文献】
【０００４】
【特許文献１】特開２００５−０４３８８６号
【非特許文献】
【０００５】
【非特許文献１】Ｐｈｏｔｏｎｉｃｓ  Ｔｅｃｈｎｏｌｏｇｙ  Ｌｅｔｔｅｒｓ  ｖｏｌ．２３  ２８４ページ  （Ｋｏｔｕｒａ）
【発明の概要】
【発明が解決しようとする課題】
【０００６】
光インターコネクションを実現する送信器、受信器には低消費電力動作が求められている。このため、消費電力が大きい温度調節機能が不要な構成が必須である。温度調節機能が不要であるということは、動作温度が変化しても、送信器、受信器の特性が仕様範囲内の変動に収まるということを意味する。従って、波長多重伝送送信器、受信器において異なる波長の光を束ねる多重機能及び異なる波長の光を分離する分波機能デバイスについても、動作温度変化に対して特性が変化しないことが求められる。【０００７】
非特許文献１で開示された方法においては、その波長合分波器を構成するスラブ導波路がシリコンにより構成されているが、シリコンの屈折率の温度依存性は大きいため、動作温度が変化することにより、その波長合分波特性も大きく変化する。たとえば、図３に示すように、動作温度が１００度変化することにより、波長が６．５ｎｍ変動する。この温度範囲において、波長間隔４．５ｎｍ、パスバンド２．３ｎｍ、４波多重の規格を満たすためには波長変動を１ｎｍ以下にする必要がある。ところが、この構造では要求を満たすことができず、正常な動作を行うことができない。また、特許文献１で開示された方法においても同様に、波長特性が屈折率、すなわち温度に非常に敏感なため、同様に大きな動作温度の変動により正常な動作を行うことができない。【０００８】
本発明の目的は、光インターコネクションを実現する送信器、受信器において、異なる波長の光を束ねる多重機能及び異なる波長の光を分離する分波機能デバイスである波長合分波器に関して、動作温度変化に対して特性が変化しない温度調節機能が不要な光モジュールあるいは、波長合分波器を提供することにある。
【課題を解決するための手段】
【０００９】
本発明では上記課題を解決するための光モジュールとして、基板と、前記基板上に設けられ、複数の入射口と１の出射口とを有し、前記入射口と対抗する側の内壁に回折格子が形成された第１のスラブ導波路と、前記基板上に設けられ、１の入射口と複数の出射口とを有し、前記入射口と対抗する側の内壁に回折格子が形成された第２のスラブ導波路と、前記基板上に設けられ、前記第１のスラブ導波路に光を入射する、それぞれ波長の異なる複数の発光素子と、前記基板上に設けられ、前記第２のスラブ導波路から出射された波長の異なる光を受光する、複数の受光素子とを有し、前記第１のスラブ導波路に入射した光は、スラブ導波路内の回折格子で反射して合波され、前記第１のスラブ導波路の前記出射口から出射され、前記第２のスラブ導波路に入射した光は、前記第２のスラブ導波路内の回折格子で反射して分波され、前記第２のスラブ導波路の前記出射口から出射されることを特徴とする。
【発明の効果】
【００１０】
本発明によれば、低消費電力化が可能な光モジュールおよびサーバを提供できる。
【図面の簡単な説明】
【００１１】
【図１】図１は、本発明の第１の実施例である波長合分波器の図であり、図１（ａ）は上面図、図１（ｂ）は図１（ａ）のＡ−Ａ’断面図、図１（ｃ）は図１（ａ）のＢ−Ｂ’断面図である。
【図２】図２は、本発明の波長合分波器の波長透過特性を表す図である。
【図３】図３は、本発明及び従来例による波長特性変化の環境温度依存性を表す図である。
【図４】図４は、波長合分波器の波長透過特性の環境温度変化による透過特性変化を示した図である。図４（ａ）は従来例による環境温度変化による透過特性変化を、図４（ｂ）は本発明による環境温度変化による透過特性変化を表した図である。
【図５（ａ）】図５（a）は、本発明の第１の実施例の作製工程を表した図である。
【図５（ｂ）】図５（b）は、本発明の第１の実施例の作製工程を表した図である。
【図５（ｃ）】図５（c）は、本発明の第１の実施例の作製工程を表した図である。
【図５（ｄ）】図５（d）は、本発明の第１の実施例の作製工程を表した図である。
【図５（ｅ）】図５（e）は、本発明の第１の実施例の作製工程を表した図である。
【図５（ｆ）】図５（f）は、本発明の第１の実施例の作製工程を表した図である。
【図６】図６は、本発明の第２の実施例である波長合分波器の図であり、図２（ａ）は上面図、図２（ｂ）は図２（ａ）のＡ−Ａ’断面図である。
【図７（ａ）】図７（a）は、本発明の第３の実施例である波長合分波器を用いた送受信器の構造図である。
【図７（ｂ）】図７（b）は、本発明の第３の実施例である波長合分波器を用いた送受信器の構造図である。
【図７（ｃ）】図７（c）は、本発明の第３の実施例である波長合分波器を用いた送受信器の構造図である。
【図８】図８は、本発明の第４の実施例である波長合分波器を用いた送受信器によるバックプレーンの光インターコネクションを用いたサーバやパケット光トランスポート装置の構造図である。
【発明を実施するための形態】
【００１２】
以下に詳細に実施例を説明する。
【００１３】
（実施例１）
本発明による波長分波機能について図１を用いて説明する。本発明はエッシェルグレーティング、すなわち回折次数は２以上の回折格子を用いた波長合分波器である。波長λ１、λ２、λ３、λ４の光は入力のための光導波路１から空気コアにより構成されるスラブ導波路２に入射される。スラブ導波路に入射した光は図１（ａ）面内で回折により広がり、回折格子３にθｉの角度で入射する。回折格子３に入射した光は、式（１）に従い波長ごとにθｄの角度で回折し、それぞれの波長に対応した出力のための光導波路４に入射する。この時、波長と回折角との関係は以下のとおりである。
【００１４】
【数１】
2014010037.tif 000003
【００１５】
ここで、ｄは回折格子の周期、θｉは回折格子に入射する光の回折格子に対する入射角、θｄは回折格子から回折された光の回折格子に対する回折角で波長に依存、ｍは回折次数、λは光の波長、ｎｅｆｆ（Ｔ）はスラブ導波路の実効屈折率で温度の関数である。スラブ導波路からθｉの角度で回折格子に入射した波長λの光は回折格子で回折され、θｄの角度で回折し、出射のための導波路に導波される。この出口側の導波路は波長λの光を集光できるようにθｄの角度に形成されているのである。
【００１６】
ここで、この波長分波器の温度が変化すると、実効屈折率ｎｅｆｆ（Ｔ）が変化する。回折格子の周期ｄ、回折格子に入射する光の入射角θｉ、出口側の導波路の角度θｄ、回折次数ｍは変化しないため、波長λが変化し、λ´となる。すなわち、波長λを集光するように設計した波長分波器において波長λ´の光が集光される。波長λ´のλからの変化量Δλは実効屈折率ｎｅｆｆ（Ｔ）に依存し、ｎｅｆｆ（Ｔ）の変化が小さければ、変化量Δλは実使用条件に対して問題ない。
【００１７】
ところで、シリコンの屈折率温度依存性は、１．３ｅ−２Ｋ−１であるが、空気の屈折率温度依存性は１．０ｅ−４Ｋ−１である。このような特性を有するシリコン及び空気をスラブ導波路に用いた場合の波長変化の温度変化依存性を図３に示す。実使用条件における温度変化は１００度である。スラブ導波路をシリコンで形成した場合、温度が１００度変化すると、波長は６．５ｎｍ変化する。すなわち、波長変化量Δλは６．５ｎｍである。一方、スラブ導波路を空気によって形成した場合、温度が１００度変化すると、波長変化量Δλは０．１ｎｍであり、使用条件の波長変化量１ｎｍ以下を満たす。また、スラブ導波路に無機材料を用いても、同様に１００度の温度変化に対する波長変化量Δλは０．７ｎｍであり、使用条件の波長変化量１ｎｍ以下を満たす。
【００１８】
このように、本発明により、光インターコネクションを実現する送信器、受信器において、異なる波長の光を束ねる多重機能及び異なる波長の光を分離する分波機能デバイスである波長合分波器に関して、環境温度変化に対して特性が変化しない温度調節機能が不要な波長合分波器を提供できる。
【００１９】
図１は、本発明の第１の実施例である波長合分波器の構造図である。図１（ａ）は上面図、図１（ｂ）は図１（ａ）のＡ−Ａ’断面図、図１（ｃ）は図１（ａ）のＢ−Ｂ’断面図である。
【００２０】
本発明による第１の実施例を波長分波器として用いた場合の構成について説明する。本実施例は、ＳＯＩ（Ｓｉｌｉｃｏｎ  ｏｎ  Ｉｎｓｕｌａｔｏｒ）上に形成された入力のための光導波路１、金属６及び空気コア５によって構成されるスラブ導波路２、回折格子３、分波された光の出力のための光導波路４によって構成される。図１の波長合分波器を、波長分波器として用いる場合について説明する。波長λ１、λ２、λ３、λ４の光は入力のための光導波路１から空気コアにより構成されるスラブ導波路２に入射される。スラブ導波路に入射した光は図１（ａ）面内で回折により広がり、回折格子３にθｉの角度で入射する。回折格子３に入射した光は、式（１）に従い波長ごとにθｄの角度で回折し、それぞれの波長に対応した出力のための光導波路４に入射する。このとき、入力のための光導波路１、出力のための光導波路４は半径Ｒの円周上でスラブ導波路２と光学的に接続する。また、回折格子３は半径２Ｒの曲率を有し、前述の入力のための導波路１及び出力のための導波路４とスラブ導波路２との接続面である半径Ｒと接する。
【００２１】
この波長合分波器を波長合波器として用いる場合は、波長分波器の逆の光路をたどる。光の出力のための光導波路４からそれぞれ波長λ１、λ２、λ３、λ４の光を入力し、スラブ導波路２に入射される。スラブ導波路に入射した光は図１（ａ）面内で回折により広がり、回折格子３にそれぞれの波長に対応した角度θｄの角度で入射する。回折格子３に入射した光は、式（１）に従いθｉの角度で回折し、光導波路１に入射する。
【００２２】
次に、本波長合分波器の作製プロセスについて図５を用いて説明する。シリコン酸化膜８上のシリコン７をフォトエッチング工程によりエッチングし、図５（ｂ）に示す溝を形成する。この溝の上面から見た構成は図１（ａ）に示すとおりとなっている。その後、金属薄膜９を形成する。このとき金属薄膜９はシリコン酸化膜８上のみならずシリコン７の側面にも形成する。次に、図５（ｄ）で示すように、図５（ｂ）で形成した溝を犠牲層１０により埋め込む。犠牲層１０を形成した後、犠牲層１０上に金属薄膜９を形成する。その後、犠牲層１０をエッチングにより除去し、図５（ｆ）で示すような平行平板である金属薄膜９と空気コア５からなる導波路を形成する。このとき、入力のための光導波路１の幅は５から２０μｍ、出力のための光導波路４の幅は５から２０μｍとする。狭幅側は光導波路を作製する際の作製誤差から、広幅側は波長合分波器の大きさからの要請である。また、回折格子の次数は２から４０である。
【００２３】
作製した波長分波器の分波特性を図２に示す。波長１２９５．６ｎｍ、１３００．１ｎｍ、１３０４．６ｎｍ、１３０９．１ｎｍを中心に、それぞれパスバンドとして２．３ｎｍ以上で良好な分波特性を示している。この波長分波器の温度を１００度上昇させ、同様に波長分波特性を調べたところ、図４（ｂ）の実線で示す特性を示した。すなわち、その波長特性は長波長側に０．１ｎｎシフトした。この波長シフト量０．１ｎｍは、使用条件の波長変化量１ｎｍ以下を満たす。
【００２４】
このように、本発明により、環境温度変化に対して温度調節機構なしでも特性が変化しない温度調節機能が不要な波長合分波器を提供できる。
【００２５】
なお、金属薄膜９は、誘電体多層膜に置き換えても同様の効果を得ることができる。
【００２６】
（実施例２）
本発明の第２の実施例を、図６を用いて説明する。図６は、本発明の第２の実施例である波長合分波器の構造図である。図６（ａ）は上面図、図６（ｂ）は図６（ａ）のＡ−Ａ断面図である。
【００２７】
本発明による第２の実施例を波長合波器として用いた場合の構成について説明する。本実施例は、ＳＯＩ（Ｓｉｌｉｃｏｎ  ｏｎ  Ｉｎｓｕｌａｔｏｒ）上に形成された入力のための光導波路１４、窒化シリコン１６によって構成されるスラブ導波路１２、回折格子１３、合波された光の出力のための光導波路１１によって構成される。図６の波長合分波器を、波長合波器として用いる場合について説明する。波長λ１、λ２、λ３、λ４の光は入力のための光導波路１４から窒化シリコンにより構成されるスラブ導波路１２に入射される。スラブ導波路に入射した光は図６（ａ）面内で回折により広がり、回折格子１３にθｉの角度で入射する。回折格子１３に入射した光は、それぞれの波長に対応した角度θｄの角度で入射する。回折格子１３に入射した光は、式（１）に従いθｉの角度で回折し、光導波路１１に入射する。このとき、入力のための光導波路１４、出力のための光導波路１１は曲率半径Ｒを有する曲線上に存在し、半径Ｒの円周上でスラブ導波路１２と光学的に接続する。また、回折格子１３は半径２Ｒの曲率を有し、前述の入力のための導波路１４及び出力のための導波路１１とスラブ導波路１２との接続面である半径Ｒと接する。このとき、入力のための光導波路１の幅は５から２０μｍ、出力のための光導波路４の幅は５から２０μｍとする。また、回折格子の次数は２から４０である。
【００２８】
この波長合分波器を波長合波器として用いる場合は、波長分波器の逆の光路をたどる。波長λ１、λ２、λ３、λ４の光は入力のための光導波路１１から窒化シリコンにより構成されるスラブ導波路１２に入射される。スラブ導波路に入射した光は図６（ａ）面内で回折により広がり、回折格子１３にθｉの角度で入射する。回折格子１３に入射した光は、式（１）に従い波長ごとにθｄの角度で回折し、それぞれの波長に対応した出力のための光導波路１４に入射する。このとき、入力のための光導波路１１、出力のための光導波路１４は半径Ｒの円周上でスラブ導波路１２と光学的に接続する。また、回折格子１３は半径２Ｒの曲率を有し、前述の入力のための導波路１１及び出力のための導波路１４とスラブ導波路１２との接続面である半径Ｒと接する。
【００２９】
作製した波長分波器の分波特性を図２に示す。波長１２９５．６ｎｍ、１３００．１ｎｍ、１３０４．６ｎｍ、１３０９．１ｎｍを中心に、それぞれパスバンドとして２．３ｎｍ以上で良好な分波特性を示している。この波長分波器の温度を１００度上昇させ、同様に波長分波特性を調べたところ、その波長特性は長波長側に０．１ｎｎシフトした。この波長シフト量０．７ｎｍは、使用条件の波長変化量１ｎｍ以下を満たす。
【００３０】
このように、本発明により、環境温度変化に対して温度調節機構なしでも特性が変化しない温度調節機能が不要な波長合分波器を提供できる。
【００３１】
（実施例３）
本発明の第３の実施例を、図７を用いて説明する。図７（ａ）は、本発明の第３の実施例である波長合分波器を用いた送受信器の構造図、図７（ｂ）はグレーティングカップラ２４の上面図、図７（ｃ）はグレーティングカップラ２４と光ファイバ２３の接続部の断面拡大図である。
【００３２】
本構造は、８波長の信号光を送受信する送受信器である。図７（ａ）に示したとおり、ＳＯＩ基板１７上に実装された８波長の半導体レーザアレイ１８、各波長に対応する８本の入力光導波路１９、入力した波長が異なる信号光を合波する波長合波器２０、合波した光の出力光導波路２１、ファイバとへ信号光を結合するためのグレーティングカップラ２２、光ファイバ２３、ファイバからの信号光を結合するためのグレーティングカップラ２４、８波長からなる信号光を分波器に入力するための光導波路２５、入力した異なる波長の光信号を波長ごとに分波する波長分波器２６、波長ごとに分波した光を出力する８本の出力光導波路２７、光を検出するフォトダイオードアレイ２８から構成される。ＳＯＩ基板１７上に実装された８波長の半導体レーザアレイ１８から出射した光は入力導波路１９を経由し波長合波器２０に入力する。波長合波器２０では各波長に対応する８本の入力光導波路１９から入射した光を合波し、出力光導波路２１へと出力する。出力光導波路２１に導波された８波長からなる信号光はファイバへと信号光を結合するためのグレーティングカップラ２２に入力する。グレーティングカップラ２２は図７（ｂ）に示された構造となっている。グレーティングカップラ２２では入力した信号光を上面方向に所望の角度で出射するように形成されており、図７（ｃ）に示したように、グレーティングカップラ２２から出射した光はファイバ２３へと入力され、本送受信器から信号光として出力される。一方、外部から本送受信器に入力する光はファイバ２３からグレーティングカップラ２４に入力され、入力のための光導波路２５を経由して波長分波器２６に入力され、波長分波器２６において波長が分波され、それぞれの波長に対応する８本の出力光導波路２６に入力され、光を検出するフォトダイオードアレイ２８に入力し、光信号を検出する。本送受信器の構成では、入力光は縦横単一モード発振した半導体レーザが用いられている。半導体レーザ１８から出射する光は偏波が一定で安定しているため、入力導波路１９を経由して波長合波器２０に入力する光の偏波も単一で安定している。このため、入射導波路から回折格子までの距離を２００から６００μｍとすることができる。一方、ファイバ２３から入力した光の偏波面はランダムになっている。このため、波長分波器２６は偏波無依存化する必要があり、入射導波路から回折格子までの距離を１から４ｍｍとする必要がある。従って、同一の送受信器においても、波長合波器よりも波長分波器の方がサイズとして大きくする必要がある。このように、波長合波器２０と波長分波器２６の大きさは異なる。このようにして作製した波長合分波器を用いた送受信器により、環境温度変動１００度の温度範囲において８波の信号光を送受することに成功した。
【００３３】
このように、本発明により、環境温度変化に対して温度調節機構なしでも特性が変化しない温度調節機能が不要な波長合分波器を提供できる。
【００３４】
（実施例４）
本発明の第４の実施例を、図８を用いて説明する。図８は、本発明の第４の実施例である波長合分波器を用いた送受信器によるバックプレーンの光インターコネクションを用いたサーバやパケット光トランスポート装置の構造図である。
本実施例による装置は、複数のインターフェースカード２９、スイッチカード３０から構成されており、それらがバックプレーンにおいてファイバ３２により接続され、信号が送受されている。具体的には、装置外部から光ファイバ３３を介して入力された信号は光送受信器３４により電気信号に変換され、集積回路３５により信号処理される。この信号処理された電気信号は光送受信器３１により光信号に変換され、光ファイバ３２を介してスイッチカード３０に送られる。スイッチカード３０上の送受信器３１により電気信号に変換された信号はスイッチング素子３６により信号に応じた経路にスイッチされ、その出力は送受信器３１により光信号に変換され、光ファイバ３１を介してインターフェースカード２９に入力する。この光信号は、光送受信器３１により電気信号に変換され、その後集積回路３５により信号処理され、再度光り送受信器３４により光信号に変換され、光ファイバ３３を介して出力される。このときの光送受信器３１は、実施例４において説明した波長合分波器を用いた温度調節不要な光送受信器３１を用いている。
【００３５】
このように、本発明により、環境温度変化に対して温度調節機構なしでも光信号の送受信特性が変化しない温度調節機能が不要な送受信器を用いることにより、大容量化を実現しながら同時に低消費電力動作可能なサーバ、パケット光トランスポート装置を提供できる。
【産業上の利用可能性】
【００３６】
光インターコネクションを実現する送信器、受信器において、異なる波長の光を束ねる多重機能及び異なる波長の光を分離する分波機能デバイスである波長合分波器に関して、動作温度変化に対して特性が変化しない温度調節機能が不要な波長合分波器を提供できる。
【符号の説明】
【００３７】
１、１４、１９、２５…入力のための光導波路
２、１２…スラブ導波路、
３、１３…回折格子、
４、１１、２１、２７…出力のための光導波路、
５…空気コア、
６…金属、
７…シリコン、
８…シリコン酸化膜、
９…金属薄膜、
１０…犠牲層、
１６…窒化シリコンコア、
１７…ＳＯＩ基板、
１８…半導体レーザアレイ、
２０…波長合波器、
２２、２４…グレーティングカップラ、
２３、３２、３３…光ファイバ、
２６…波長分波器、
２８…フォトダイオードアレイ、
２９…インターフェースカード、
３０…スイッチカード、
３１、３４…光送受信器
３５…集積回路
３６…スイッチング素子
【図１】
2014010037.tif 000004
【図２】
2014010037.tif 000005
【図３】
2014010037.tif 000006
【図４】
2014010037.tif 000007
【図５（ａ）】
2014010037.tif 000008
【図５（ｂ）】
2014010037.tif 000009
【図５（ｃ）】
2014010037.tif 000010
【図５（ｄ）】
2014010037.tif 000011
【図５（ｅ）】
2014010037.tif 000012
【図５（ｆ）】
2014010037.tif 000013
【図６】
2014010037.tif 000014
【図７（ａ）】
2014010037.tif 000015
【図７（ｂ）】
2014010037.tif 000016
【図７（ｃ）】
2014010037.tif 000017
【図８】
2014010037.tif 000018
【手続補正書】
【提出日】平成28年2月4日(2016.2.4)
【手続補正１】
【補正対象書類名】特許請求の範囲
【補正対象項目名】全文
【補正方法】変更
【補正の内容】
【特許請求の範囲】
【請求項１】
基板上に形成された複数の光導波路、回折格子を有する波長合分波器において、前記光導波路のうち少なくとも１つはスラブ導波路であり、該スラブ導波路のコアが空気或いは窒化シリコンによって構成されることを特徴とする波長合分波器。
【請求項２】
請求項１に記載の波長合分波器において、上記スラブ導波路を構成するコアが金属または誘電体多層膜による平行平板によりはさまれていることを特徴とする波長合分波器。
【請求項３】
請求項１乃至２のいずれかに記載の波長合分波器において、上記回折格子は上記スラブ導波路に隣接して形成されていることを特徴とする波長合分波器。
【請求項４】
請求項３に記載の波長合分波器において、上記回折格子はシリコンを食刻することにより形成されたことを特徴とする波長合分波器。
【請求項５】
請求項４に記載の波長合分波器において、上記回折格子の表面には上記金属または誘電体多層膜が形成されていることを特徴とする波長合分波器。
【請求項６】
請求項１乃至５のいずれかに記載の波長合分波器において、上記回折格子は半径２Rの曲率を有し、且、上記光導波路と上記スラブ導波路は上記回折格子が構成する半径２Rの円の一部に接している半径Rの円上で光学的に接続されていることを特徴とする波長合分波器。
【請求項７】
請求項１乃至６のいずれかに記載の波長合分波器において、上記回折格子の回折次数は2以上であることを特徴とする波長合分波器。
【請求項８】
請求項１乃至７のいずれかに記載の波長合分波器と同一の基板上に、少なくとも１以上の回折格子からなる結合素子が集積されていることを特徴とする波長合分波器。
【請求項９】
請求項１乃至８のいずれかに記載の波長合分波器が同一の基板上に、２以上集積されていることを特徴とする光集積基板。
【請求項１０】
請求項９に記載の光集積基板上の波長合分波器の少なくとも１つが他の波長合分波器と異なる大きさであることを特徴とする光集積基板。
【請求項１１】
請求項１乃至１０のいずれかに記載の波長合分波器から構成される光モジュールを搭載したサーバ。
【手続補正２】
【補正対象書類名】明細書
【補正対象項目名】０００９
【補正方法】変更
【補正の内容】
【０００９】
基板上に形成された複数の光導波路、回折格子を有する波長合分波器において、前記光導波路のうち少なくとも１つはスラブ導波路であり、該スラブ導波路のコアが空気或いは窒化シリコンによって構成されることを特徴とする。
【国際調査報告】
2014010037.tif 000019
2014010037.tif 000020
2014010037.tif 000021
2014010037.tif 000022
2014010037.tif 000023
2014010037.tif 000024
2014010037.tif 000025
2014010037.tif 000026